(57)【要約】【課題】簡易な構成で外力に対する強度を確保しつつ、小型化を図ることができる表示装置を提供する。【解決手段】インサート成型によって樹脂と板金を一体化して形成され、表示モジュール３ｂを収容するモニタパネル２と、モニタパネル２に形成され、表示モジュール３ｂの周縁部を支持する表示モジュール支持部２ｂ，４ｂと、モニタパネル２に形成され、表示モジュール支持部２ｂ，４ｂに支持された表示モジュール３ｂの表示面上でタッチパネル３の周縁を支持するタッチパネル支持部２ａ，４ａとを備える。【選択図】図２
2015084033.tif 000002
【特許請求の範囲】
【請求項１】
表示モジュールの表示面上にタッチパネルを備える表示装置であって、
インサート成型によって樹脂と板金を一体化して形成され、前記表示モジュールを収容するパネルと、
前記パネルに形成され、前記表示モジュールの周縁部を支持する第１の支持部と、
前記パネルに形成され、前記第１の支持部に支持された前記表示モジュールの表示面上で前記タッチパネルの周縁を支持する第２の支持部とを備える表示装置。
【請求項２】
前記パネルの板金から形成され、前記タッチパネルに接続するケーブルを覆う遮蔽部を備えることを特徴とする請求項１記載の表示装置。
【請求項３】
表示モジュールの表示面上にタッチパネルを備える表示装置であって、
インサート成型によって樹脂と板金を一体化して形成され、前記表示モジュールを収容するパネルと、前記パネルに形成され、前記表示モジュールの周縁部を支持する第１の支持部と、前記パネルに形成され、前記第１の支持部に支持された前記表示モジュールの表示面上で前記タッチパネルの周縁を支持する第２の支持部とを有する表示部と、
ヒンジ軸周りに前記表示部を開閉自在に支持する本体部と、
前記パネルの板金から形成され、前記ヒンジ軸を軸支する金属部材に当接する接地部とを備える表示装置。
【発明の詳細な説明】
【技術分野】
【０００１】
この発明は、表示面上にタッチパネルを備えた表示装置に関する。
【背景技術】
【０００２】
例えば、特許文献１には、板金がインサート成型されたモニタパネルでタッチパネルを支持する携帯端末表示装置が開示されている。このように構成することで、意匠面のほぼ全体がタッチパネルとなるフラットなデザインの表示装置であっても、外力に対する強度をモニタパネルに持たせることができる。
【先行技術文献】
【特許文献】
【０００３】
【特許文献１】特開２０１１−２０５４９６号公報
【発明の概要】
【発明が解決しようとする課題】
【０００４】
特許文献１に代表される従来の表示装置は、モニタパネルにインサート成型された板金（以下、インサート板金と呼ぶ）でタッチパネルを支持するが、液晶モジュール本体は、モニタパネルとは別に設けられた板金シャーシやリアケースに支持される。
このため、従来では、部品点数が増加する上、ねじ止めなどの繁雑な製造工程が必要であり、板金シャーシやリアケースの分だけ小型化が制限されるという課題があった。
【０００５】
また、液晶モジュールはタッチパネルの背面側に配置されるため、タッチパネルの平面部分にはケーブル（フレキシブル回路基板；ＦＰＣ）を接続することができず、その端辺に接続される。このため、タッチ面上で発生した静電気が端辺にあるケーブルに伝わって電子回路に悪影響を及ぼす可能性がある。
【０００６】
この発明は、上記のような課題を解決するためになされたもので、簡易な構成で外力に対する強度を確保しつつ、小型化を図ることができる表示装置を得ることを目的とする。
【課題を解決するための手段】
【０００７】
この発明に係る表示装置は、表示モジュールの表示面上にタッチパネルを備える表示装置であって、インサート成型によって樹脂と板金を一体化して形成され、表示モジュールを収容するパネルと、パネルに形成され、表示モジュールの周縁部を支持する第１の支持部と、パネルに形成され、第１の支持部に支持された表示モジュールの表示面上でタッチパネルの周縁を支持する第２の支持部とを備える。
【発明の効果】
【０００８】
この発明によれば、簡易な構成で外力に対する強度を確保しつつ、小型化を図ることができるという効果がある。
【図面の簡単な説明】
【０００９】
【図１】この発明の実施の形態１に係る表示装置を示す正面図である。
【図２】図１のＡ−Ａ線で切った構成例１の断面斜視図である。
【図３】図１のＡ−Ａ線で切った構成例２の断面斜視図である。
【図４】図１のＢ−Ｂ線で切った断面側面図である。
【図５】この発明の実施の形態２に係る表示装置を示す斜視図である。
【図６】実施の形態２における表示装置のヒンジ機構周辺の構成を示す図である。
【発明を実施するための形態】
【００１０】
実施の形態１．
図１は、この発明の実施の形態１に係る表示装置を示す正面図である。また、図２は、図１のＡ−Ａ線で切った構成例１の断面斜視図である。図３は、図１のＡ−Ａ線で切った構成例２の断面斜視図である。図１において、この発明に係る表示装置１は、例えば、ナビゲーション装置などの表示装置もしくはディスプレイ付きのオーディオ装置で実現される。外観上の特徴として、モニタパネル２に表示モジュール３ｂが収容されており、この表示モジュール３ｂの表示面上にタッチパネル３が配置されている。
【００１１】
モニタパネル２は、図２および図３に示すように、インサート成型によって樹脂と板金（インサート板金）４を一体化して形成したパネルである。また、この発明においては、モニタパネル２が、表示モジュール支持部２ｂ，４ｂとタッチパネル支持部２ａ，４ａの双方を備えている。表示モジュール３ｂは、画像を表示する表示モジュールであり、例えば、液晶パネルおよびこれを背面側から照明するバックライトから構成される。
【００１２】
表示モジュール支持部２ｂ，４ｂは、モニタパネル２の内部で表示モジュール３ｂを支持する第１の支持部である。
第１の支持部の具体的な構成としては、例えば、図２に示す表示モジュール支持部２ｂのように、モニタパネル２の樹脂から形成した係合爪が挙げられる。この爪に引っ掛けて表示モジュール３ｂの周縁部を支持する。係合爪によって支持された表示モジュール３ｂは、クッション材５を介してモニタパネル２のタッチパネル支持部２ａに押圧された状態となる。
また、図３に示す表示モジュール支持部４ｂのように、モニタパネル２のインサート板金４から形成した係合爪であってもよい。上記と同様に、この爪に引っ掛けて表示モジュール３ｂを支持する。
【００１３】
タッチパネル支持部２ａ，４ａは、図２および図３に示すように、表示モジュール支持部２ｂ，４ｂに支持された表示モジュール３ｂの表示面上でタッチパネル３の周縁を支持する第２の支持部である。具体的な構成としては、例えば、タッチパネル３の周縁の段差部の段差面にそれぞれ対向して支持するフランジ部が挙げられる。すなわち、モニタパネル２の樹脂から形成したフランジ部（タッチパネル支持部２ａ）は、図２、図３に示すように、タッチパネル３の最外周の段差面に対向し、両面テープ６ａを介して支持する。モニタパネル２のインサート板金４から形成したフランジ部（タッチパネル支持部４ａ）は、タッチパネル３の外周の段差面に対向し、両面テープ６ｂを介して支持する。
【００１４】
なお、表示モジュール支持部２ｂ，４ｂが係合爪の引っ掛けにより表示モジュール３ｂを支持する構造を示したが、これに限定されるものではない。
例えば、表示面側と背面側の双方から表示モジュール３ｂを挟み込んで支持する断面Ｃ字形状の支持部であってもよい。
【００１５】
上述したような外観の従来の表示装置では、樹脂のみでモニタパネルを形成する構造が一般的であった。この構造において、モニタパネルに収容された表示モジュールは、表示面側に設けた板金シャーシで支持され、背面側に回路基板を保持するための板金シャーシが配置される。このように、従来では、モニタパネル内の表示モジュールを板金シャーシで強固に保持する構成であった。
【００１６】
近年では、表示モジュールの表示面を露出させるためのモニタパネルの開口周縁がタッチパネルの周囲から突出した構造ではなく、モニタパネルの開口周縁とタッチパネルとがフラットなデザインが望まれている。
このようなデザインを実現する場合、タッチパネルをモニタパネルに貼り付けて支持することになるが、従来と同様に樹脂のみで形成されたモニタパネルは強度が低く、モニタパネルを捻るような外力が加わると、モニタパネルがねじれてタッチパネルが割れる恐れがあった。
【００１７】
そこで、この発明では、上述したように、インサート成型によって樹脂と板金を一体化してモニタパネル２を形成し、モニタパネル２のタッチパネル支持部２ａ，４ａでタッチパネル３を支持している。このようにインサート板金４によって剛性を高めたモニタパネル２でタッチパネル３を支持することで、モニタパネル２を捻る外力が加わった場合でもモニタパネル２がねじれず、タッチパネル３の損傷を防ぐことができる。
【００１８】
また、従来では、表示モジュールの表示面側と背面側の双方に板金シャーシが配置されるが、この発明では、上述したように、モニタパネル２が、表示モジュール支持部２ｂ，４ｂを備えており、表示モジュール３ｂは、表示モジュール支持部２ｂ，４ｂにより支持される。このため、表示面側の板金シャーシが不要となり、表示装置の厚み方向の寸法を削減でき、小型化を図ることができる。
【００１９】
図４は、図１のＢ−Ｂ線で切った断面側面図である。図４に示すように、表示モジュール３ｂの背面側には、表示モジュール３ｂと回路基板９を保持する板金シャーシ８が配置されている。また、タッチパネル３に接続されているフレキシブルプリント回路基板（以下、ＦＰＣと略す）ケーブル７は、回路基板９に実装されたコネクタ１０に接続される。
【００２０】
タッチパネルで発生した静電気がＦＰＣケーブルに伝わると、ＦＰＣに実装された回路や回路基板９上の部品を破損する可能性がある。そこで、従来は、ＦＰＣを覆う静電対策用の板金部品を別個に設ける構成や、ＦＰＣの表面またはモニタパネルの内側に導電性のテープを貼り付けていた。この場合、部品点数の増加やテープの貼り付けなどの繁雑な作業が必要となる。また、表示モジュールの表示面側と背面側に配置された板金シャーシにＦＰＣを覆う構造を設けることも提案されている。この場合、板金シャーシの一部構造が複雑化するため、製造が困難となり、コストアップにも繋がる。
【００２１】
そこで、この発明では、図４に示すように、モニタパネル２のインサート板金４によりＦＰＣケーブル７の外側を覆う遮蔽部４ｃを形成している。
すなわち、ＦＰＣケーブルは、タッチパネル３に接続する一端からコネクタ１０に接続する他端までを遮蔽部４ｃで覆われている。これにより、タッチパネル３で発生した静電気はＦＰＣケーブル７より近い遮蔽部４ｃに伝達されるため、静電気がＦＰＣケーブル７に伝わり難く、静電気に対する耐性を向上させることができる。
【００２２】
以上のように、この実施の形態１によれば、インサート成型によって樹脂と板金を一体化して形成され、表示モジュール３ｂを収容するモニタパネル２と、モニタパネル２に形成され、表示モジュール３ｂの周縁部を支持する表示モジュール支持部２ｂ，４ｂと、モニタパネル２に形成され、表示モジュール支持部２ｂ，４ｂに支持された表示モジュール３ｂの表示面上でタッチパネル３の周縁を支持するタッチパネル支持部２ａ，４ａとを備える。
このように構成することで、インサート板金を用いた簡易な構成で外力に対する強度を確保しつつ、表示装置の小型化を図ることができる。
【００２３】
また、この実施の形態１によれば、モニタパネル２の板金から形成され、タッチパネル３に接続するＦＰＣケーブル７を覆う遮蔽部４ｃを備える。このように構成することで、タッチパネル３で発生した静電気はＦＰＣケーブル７より近い遮蔽部４ｃに伝達されるため、静電気がＦＰＣケーブル７に伝わり難く、表示装置１の静電気に対する耐性を向上させることができる。
【００２４】
実施の形態２．
図５は、この発明の実施の形態２に係る表示装置を示す斜視図である。また、図６は、実施の形態２における表示装置のヒンジ機構周辺の構成を示す図である。
図５において、表示装置１Ａは、表示部１１と本体部１２から構成される。表示部１１は、実施の形態１と同様に、モニタパネル２と、このモニタパネル２に形成された表示モジュール支持部２ｂ（または４ｂ）と、タッチパネル支持部２ａ，４ａとを有する表示部である。また、表示部１１は、ヒンジ軸１３周りに回動して本体部１２に対して開閉自在に保持されている。
【００２５】
実施の形態２では、図６に示すように、モニタパネル２のインサート板金４から形成された接地部４ｄを備える。接地部４ｄは、表示部１１側からヒンジ軸１３を軸支する金属製のブラケット１４に当接する板金片である。ブラケット１４は、常に接地電位に保持されているので、接地部４ｄを介してモニタパネル２のインサート板金４を接地電位とすることができる。従来では、表示モジュールの表示面側と背面側に配置される板金シャーシのいずれかを接地して静電気対策を行っていた。これに対して、実施の形態２では、上記接地部４ｄを介してモニタパネル２のインサート板金４が接地されるので、表示面側の板金シャーシを省略しても、従来と同様に静電気に対する耐力を持たせることができる。
【００２６】
以上のように、この実施の形態２によれば、インサート成型によって樹脂と板金を一体化して形成され、表示モジュール３ｂを収容するモニタパネル２と、モニタパネル２に形成され、表示モジュール３ｂの周縁部を支持する表示モジュール支持部２ｂ，４ｂと、モニタパネル２に形成され、表示モジュール支持部２ｂ，４ｂに支持された表示モジュール３ｂの表示面上でタッチパネル３の周縁を支持するタッチパネル支持部２ａ，４ａとを有する表示部１１と、ヒンジ軸周りに表示部１２を開閉自在に支持する本体部１２と、モニタパネル２の板金から形成され、ヒンジ軸１３を軸支するブラケット１４に当接する接地部４ｄとを備える。このように構成することで、実施の形態１と同様な効果が得られるとともに、接地部４ｄによってインサート板金４が接地されることから、タッチパネル３などで発生した静電気に対する耐力を持たせることができる。
【００２７】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２８】
１  表示装置、２  モニタパネル、２ａ，４ａ  タッチパネル支持部、２ｂ，４ｂ  表示モジュール支持部、３  タッチパネル、３ｂ  表示モジュール、４  インサート板金、４ｃ  遮蔽部、４ｄ  接地部、５  クッション材、６ａ，６ｂ  両面テープ、７  ＦＰＣケーブル、８  板金シャーシ、９  回路基板、１０  コネクタ、１１  表示部、１２  本体部、１３  ヒンジ軸、１４  ブラケット。
【図１】
2015084033.tif 000003
【図２】
2015084033.tif 000004
【図３】
2015084033.tif 000005
【図４】
2015084033.tif 000006
【図５】
2015084033.tif 000007
【図６】
2015084033.tif 000008